(57)【要約】【課題】折版屋根の谷部等に生育させる緑化システムを植栽パックによって構成して、低コストに製造すると共に取扱やメンテナンスを容易にする傾斜折版屋根の緑化システムと植栽パックを提供する。【解決手段】傾斜折版屋根の緑化システム１は、折版屋根２の谷部３に対応する植栽容器５とこの底部７に配置され、植栽容器５を貫通させることで雨水を流下させながら培養土６に給水する灌水部材８及び灌水部材８を覆うように培養土６の下に装備される透水シート９から成る植栽パック４を折版屋根２の谷部３に配置し、植栽パック４を折版屋根２の谷部３に傾斜方向に連続させて複数個配置したり、折版屋根２の所定距離隔てた谷部３に配置したりし、植栽パック４間の山部１１上に掛け渡して設置される育生パネルに植栽させることを特徴としている。【選択図】  図１
2005030051.tif 000002
【特許請求の範囲】
【請求項１】
傾斜された折版屋根の谷部に植栽部を設置し、該植栽部への雨水導出入装置を配置して成る傾斜折版屋根の緑化システムであって、折版屋根の谷部に対応する植栽容器と該植栽容器の底部に配置され、植栽容器を貫通させることで雨水を流下させながら培養土に給水する灌水部材及び該灌水部材を覆うように培養土の下に装備される透水シートから成る植栽パックを折版屋根の谷部に配置することを特徴とする傾斜折版屋根の緑化システム。
【請求項２】
植栽パックが、折版屋根の谷部に傾斜方向に連続させて複数個配置されることを特徴とする請求項１に記載の傾斜折版屋根の緑化システム。
【請求項３】
植栽パックが、折版屋根の所定距離隔てた谷部に配置され、該植栽パック間の山部上に掛け渡して設置される育生パネルに被覆成長させることを特徴とする請求項１又は２に記載の傾斜折版屋根の緑化システム。
【請求項４】
請求項１乃至３のいずれかに記載の緑化システムを構成する植栽パックであって、折版屋根の谷部に対応する植栽容器と該植栽容器の底部に配置され、植栽容器を貫通させることで流下する雨水を培養土に導く灌水部材及び該灌水部材を覆うように培養土の下に装備される透水シートから構成される植栽パック。
【請求項５】
灌水部材が、折版屋根の谷部を流下する雨水の排水装置として兼用されることを特徴とする請求項４に記載の植栽パック。
【請求項６】
灌水部材が、下流側端部を上方に折り曲げて構成されることを特徴とする請求項４又は５に記載の植栽パック。
【請求項７】
透水シートが、少なくともその一表面に保水材を添付して構成されることを特徴とする請求項４乃至６のいずれかに記載の植栽パック。
【発明の詳細な説明】
【０００１】
【発明の属する技術分野】
本発明は、傾斜折版屋根の緑化システムと植栽パックに関し、特に、折版屋根の谷部等に生育させる緑化システムを植栽パックによって構成し、低コストに製造すると共に取扱やメンテナンスを容易にする傾斜折版屋根の緑化システムと植栽パックに関する。
【０００２】
【従来の技術】
近年、身近な自然の減少や都市のヒートアイランド化等が問題になってきており、生物多様性を目指した自然環境復元や景観の向上とヒートアイランド現象の緩和、さらに大気の浄化、アメニティ空間の創出等を目的にして、建物等の屋上における緑化が図られている。
【０００３】
しかるに、屋上緑化をするに当たっては、建物等に過剰な負担を掛けないようにする必要があるので、従来例のように樹木を地上部と同様に施工する場合は、建物の躯体等に特別の補強や防水処置を施す等の対策が必要になる。このために、植栽ユニットは軽量であってその維持管理が容易であることが、改めて最大の要求項目になってきている。
【０００４】
しかして、植栽に関連する既存の出願特許としては、特開平７−２１３１５９号、特開平１１−２９９３４５号、特開２００１−１４５４２２号、特２００２−１０７１１号及び特開２００２−８４８７９号等が挙げられており、傾斜折版屋根に対する緑化システムとしては、図６に示す提案が挙げられる。（例えば、特許文献１を参照）
【０００５】
本提案における屋上構造体２０は、図示のように波形の鋼板２１と超耐久金属防水シート２２から構成されており、その上面側と鋼板２１の各溝内には客土保持材２３が配置されている。この上面側に通水性部材２４が敷設されており、通水性部材２４の上面に吹き付けられた緑化客土２５には芝生２６が植栽されている。
【０００６】
客土保持材２３は、軽量な例えばバーク材で形成され、通水性部材２４はバーク材や椰子の繊維等によって薄い板状に形成されて、客土保持材２３の上面の全域に敷設されている。又、緑化客土２５は、所定の粘性と繊維性を有し、内部に芝の種子等が配合されており、芝生２６の成長によって、屋上が緑化されることになる。
【０００７】
しかしながら、いずれも屋根全体に植栽基盤を設けて緑化するものであることから、積載荷重の問題、屋根全面へ防水層や保護層を設置しなければならないために、その手間とコストの問題及び豪雨時等における土砂流失や雨水排水への対策が必要になる。さらに、植生基盤全体への施肥・散水等のメンテナンスも難しい問題があった。
【０００８】
発明者等は、これらの課題を解決するために、特願２００２−１４８５４４号「傾斜折版屋根の緑化システム」を提案しているが、建物における屋上緑化等の促進ニーズは更に増大しており、特に、傾斜屋根にあっては、荷重制限や植栽基盤の保持の問題等があることから、緑化システムに関して低コストに製造することや取扱とメンテナンスを容易にするための早急な解決が更に嘱望されている。
【０００９】
【特許文献１】
特開２０００−１３９１９９号公報（段落符号「００１４」〜段落符号「００１７」末行、図１）
【００１０】
【発明が解決しようとする課題】
本発明は、以上の状況に鑑みて提案するものであり、折版屋根の谷部等に生育させる緑化システムを、培養土と灌水部材及び透水シートを植栽容器に纏めた植栽パックに構成することで、低コストに製造すると共に取扱やメンテナンスを容易にする傾斜折版屋根の緑化システムと植栽パックを提供している。
【００１１】
【課題を解決するための手段】
本発明による傾斜折版屋根の緑化システムは、傾斜された折版屋根の谷部に植栽部を設置し、植栽部への雨水導出入装置を配置して成る傾斜折版屋根の緑化システムにおいて、折版屋根の谷部に対応する植栽容器とこの底部に配置され、植栽容器を貫通させることで雨水を流下させながら培養土に給水する灌水部材及び灌水部材を覆うように培養土の下に装備される透水シートから成る植栽パックを折版屋根の谷部に配置することを基本にし、植栽パックを折版屋根の谷部に傾斜方向に連続させて複数個配置したり、折版屋根の所定距離隔てた谷部に配置し、植栽パック間の山部上に掛け渡して設置される育生パネルに被覆成長させることを特徴としており、屋根の全面に植栽基盤を不要にし、屋根への積載荷重を軽くして施工を容易にすることで、緑化システムを低コストに製造すると共に取扱やメンテナンスを容易にしている。
【００１２】
又、本発明による植栽パックは、上記緑化システムを構成する植栽パックであって、折版屋根の谷部に対応する植栽容器と植栽容器の底部に配置され、植栽容器を貫通させることで流下する雨水を培養土に導く灌水部材及び灌水部材を覆うように培養土の下に装備される透水シートから構成し、灌水部材を折版屋根の谷部を流下する雨水の排水装置として兼用したり、灌水部材の下流側端部を上方に折り曲げて構成するか、透水シートの少なくとも一表面に保水材を添付して構成することを特徴としており、土壌を詰めて植栽パックにすることで低コストに製造できると共に排水性を高めているために、豪雨等でも土壌の流出が起こらず、植栽パックのみに灌水と施肥をすればよいので、施工や取扱及びメンテナンスを容易にしている。
【００１３】
【発明の実施の形態】
本発明による傾斜折版屋根の緑化システムは、基本的に、傾斜された折版屋根の谷部に植栽部を設置し、植栽部への雨水導出入装置を配置して成る傾斜折版屋根の緑化システムにおいて、折版屋根の谷部に対応する植栽容器とこの底部に配置され、植栽容器を貫通させることで雨水を流下させながら培養土に給水する灌水部材及び灌水部材を覆うように培養土の下に装備される透水シートから成る植栽パックを折版屋根の谷部に配置している。
以下に、本発明による傾斜折版屋根の緑化システムにおける実施の形態を図面１に基づいて詳細に説明する。
【００１４】
図１（ａ）は、本発明による傾斜折版屋根の緑化システムの実施形態を示す斜視図であり、植栽部として植栽パックを形成することで、折版屋根の谷部に簡潔に配置しており、植栽パック中の雨水導出入装置として雨水を流下させながら培養土に給水する灌水部材を配置している。
【００１５】
本実施の形態で示す緑化システム１は、傾斜された折版屋根２の谷部３に対応させて連続的に設置している複数個の植栽パック４から構成されており、折版屋根２の谷部３に植栽パック４を固定することで折版屋根２上に敷設されているので、折版屋根２の谷部３を流れてくる雨水を有効に活用することによって、折版屋根２における緑化植物への給水を容易にしている。
【００１６】
植栽パック４は、折版屋根の谷部に対応する植栽容器と植栽容器の底部に配置され、植栽容器を貫通させることで流下する雨水を培養土に導く灌水部材及び灌水部材を覆うように培養土の下に装備される透水シートから構成し、灌水部材を折版屋根の谷部を流下する雨水の排水装置として兼用したり、灌水部材の下流側端部を上方に折り曲げて構成するか、透水シートの少なくとも一表面に保水材を添付して構成することを特徴としている。
【００１７】
本実施の形態では、図１を（ｂ）−（ｂ）矢視した図１（ｂ）の断面図が示すように、単体として構成させており、折版屋根２の谷部３に対応させて成る植栽容器５には、植栽植物用の培養土６が充填されている。
【００１８】
植栽容器５は、防水性及び耐根性を有する袋から構成されており、内部は透水性を有するシート９によって分離された二重構造を形成している。そして、植栽容器５の底部７には灌水部材８が配置されており、灌水部材８は、穴開きまたは網状等のパイプが設置されることで、透水シート９で区切られた上部に植物を植栽する軽量土壌から成る培養土６が入っている。本実施の形態では、灌水部材８の上を透水シート９で覆うように構成しているが、この他にも各灌水部材８を透水シート９で個別に巻き込んだ状態に形成することも可能である。
【００１９】
又、灌水部材８は、植栽容器５を貫通させることで、上方の雨水を流下させながら培養土６に給水することで培養土６に必要な灌水を確立させると共に、余剰水については適宜に排水している。
【００２０】
灌水部材８の上には、上述したように透水シート９を敷設することで、灌水部材８を覆っているが、透水シート９は、耐根性を有すると共に透水性を有しているので、培養土６や植栽植物の根が灌水部材８に悪影響が与えることが防止されている。
【００２１】
しかして、透水シート９は、単なる透水性を備えるばかりでなく、保水性を備える材質のものを採用することで透水性と保水性を兼務させたり、透水性よりも保水性を強化することで保水シートとして活用することも可能であるが、この場合には、当然のことながら保水された水は随時に培養土６側に浸透して行くように構成することになるものである。
【００２２】
以上のように、本発明による傾斜折版屋根の緑化システムと植栽パックでは、植栽パック４を傾斜された折版屋根２の谷部３に単体で設置しているので、植栽パック４から構成される緑化システム１は、これを支持固定するための植栽基盤を屋根の全面に不要にしているので、屋根への積載荷重を軽くすると共に、その施工も容易にしており、併せて、折版屋根２に対する緑化による悪影響を完全に防止している。
【００２３】
緑化システム１を構成する植栽パック４の配置は、上述したように折版屋根２の谷部３に沿って連続的に配置して行くだけでなく、図２に示す他の実施の形態でも施工可能である。
【００２４】
本実施の形態では、植栽パック４を折版屋根２の全ての谷部３において傾斜方向に配置するものでなく、谷部３間に所定の間隙を確保して植栽パック４、４を配置して行くと共に、両植栽パック４の間には、ツタ類１７を生育させるための育成パネル１０を載置している。
【００２５】
植栽パック４には、ヘデラ、ヘリックス等のツタ類１７を生育させているが、育成パネル１０は、ツタ類１７を被覆状態に成長させており、ツタ類１７を傾斜した折版屋根２に固定するために、ツタ類１７を絡みつかせるネットとツタ１７に水分を補給する保水シートから構成されている。
【００２６】
そして、本実施の形態におけるツタ類１７の植物は、育成パネル１０の上で成長することと、育成パネル１０のネットが、折版屋根２の山部１１の上に設置したフレーム上に敷設されていることから、緑化システムの設置によっても、折版屋根２への直接的な荷重負荷は少ない構造になっている。
【００２７】
図３は、本発明による傾斜折版屋根の緑化システムに関する他の実施形態を示すものであり、緑化システム１に積極的に灌水する場合は、図示のように折版屋根２の上側に灌水チューブ１２を設置するものであって、植栽パック４が設置されている谷部にのみ水を供給する穴１３を設けることで、適宜に灌水することが容易に行える。さらに、当然のことながら植栽パックの上に潅水チューブを設置してもよいものである。
【００２８】
この際においても、灌水部材８による排水部分が構成されていることで、植栽パック４内の不要な水は排水されるものであり、これによって屋根への不要な荷重負荷と悪影響を少なくしている。
【００２９】
尚、灌水チューブ１２の給水管理は、適宜の手段で対応可能であるが、タイマー式でもあっても手動式でもよいものである。
【００３０】
さらに、植栽容器の底部に配置される灌水部材は、各種の形態が考えられるものであり、図４は、植栽パックにおける灌水部材の他の実施の形態を示している。
【００３１】
図４（ａ）は、灌水部材として３０ｍｍ径のプラスチック製パイプ１４を採用しており、透水シート９を取り囲むように敷設しながら灌水部材８を覆うことで、培養土６や植物の根から保護して透水性を確保しており、図４（ｂ）は、灌水部材として１０ｍｍ径のプラスチック製のパイプ１５を２本採用することで、その上面を一括して敷設しながら透水性を確保している。
【００３２】
しかるに、図４（ｃ）に示す実施の形態は、幅４０ｍｍ、厚さ１０ｍｍのポリエステル製排水シート１６を植栽容器５の底部７に配置しており、排水の促進と灌水の確立を勘案している。
【００３３】
次に示す図５は、植栽パックの他の実施の形態を示しているものであり、上記実施の形態とは異なる灌水部材の形態を示している。
【００３４】
図５（ａ）に示す灌水部材の実施の形態では、灌水部材８のプラスチック製パイプ１４を覆っている透水シートの周りに、所定形状の保水材１８を採用している。これによって、所定量の水を常に保持して置くことで、日照り等で排水が無くなった場合にも、保水材１８に保持されている水を培養土６に供給することで、植物の生育を維持すると共に次の潅水管理の際に保水する水の補充が行えるように構成している。
【００３５】
又、図５（ｂ）に示す灌水部材の他の実施形態は、灌水部材８としてその下流側端部を上方に折り曲げて構成するプラスチック製パイプ１９を採用している。これによって、潅水部材８に流れる水が上方に折り曲げられた高さまで貯水されることで、培養土６に供給する水量を所望の値に確保できるように構成している。
【００３６】
以上、本発明による傾斜折版屋根の緑化システムと植栽パックを、上記各実施の形態に基づいて詳細に説明したが、本発明は、これらの実施の形態に何ら限定されるものでなく、植栽容器、灌水部材及び育成パネルを構成しているネットと保水機能を有するシート等の具体的な構造や材質に関しては、発明の主旨を逸脱しない範囲において各種の変更が可能であることは当然のことである。
【００３７】
【発明の効果】
本発明による傾斜折版屋根の緑化システムは、傾斜された折版屋根の谷部に植栽部を設置し、植栽部への雨水導出入装置を配置して成る傾斜折版屋根の緑化システムにおいて、折版屋根の谷部に対応する植栽容器とこの底部に配置され、植栽容器を貫通させることで雨水を流下させながら培養土に給水する灌水部材及び灌水部材を覆うように培養土の下に装備される透水シートから成る植栽パックを折版屋根の谷部に配置することを基本にして、植栽パックを折版屋根の谷部に傾斜方向に連続させて複数個配置したり、折版屋根の所定距離隔てた谷部に配置し、植栽パック間の山部上に掛け渡して設置される育生パネルに被覆成長させることを特徴としているので、屋根の全面に植栽基盤を不要にし、屋根への積載荷重を軽くして施工を容易にすることで、緑化システムを低コストに製造すると共に、植栽パックのみに灌水と施肥をすればよいので取扱やメンテナンスを容易にする効果を発揮している。
【００３８】
又、本発明による植栽パックは、上記緑化システムを構成する植栽パックであって、折版屋根の谷部に対応する植栽容器と植栽容器の底部に配置され、植栽容器を貫通させることで流下する雨水を培養土に導く灌水部材及び灌水部材を覆うように培養土の下に装備される透水シートから構成し、灌水部材を折版屋根の谷部を流下する雨水の排水装置として兼用したり、灌水部材の下流側端部を上方に折り曲げたりして構成するか、透水シートの少なくとも一表面に保水材を添付して構成することを特徴としているので、土壌を詰めて植栽パックにすることで低コストに製造すると共に、排水性を高めているために豪雨等でも土壌の流出が起こらず、植栽パックのみに灌水と施肥をすればよいので施工や取扱及びメンテナンスを容易にする効果を発揮している。
【図面の簡単な説明】
【図１】本発明による傾斜折版屋根の緑化システムと植栽パックにおける実施の形態を示す斜視図（ａ）と断面図（ｂ）
【図２】傾斜折版屋根の緑化システムにおいて育生パネルを用いる他の実施の形態を示す斜視図
【図３】傾斜折版屋根の緑化システムにおける他の実施の形態を示す斜視図
【図４】本発明による植栽パックの他の実施形態を示す斜視図
【図５】本発明による植栽パックの他の実施形態を示す斜視図
【図６】従来の傾斜折版屋根における緑化システムを示す斜視図
【符号の説明】
１  緑化システム、  ２  折版屋根、  ３  谷部、  ４  植栽パック、
５  植栽容器、  ６  培養土、  ７  底部、  ８  灌水部材、
９  透水性シート、  １０  育成パネル、  １１  山部、
１２  灌水チューブ、  １３  穴、
１４、１５、１９  プラスチック製パイプ、  １６  排水シート、
１７  ツタ類、  １８  保水材、  ２０  屋上構造、  ２１  波形の鋼板、
２２  超耐久金属防水シート、  ２３  客土保持材、  ２４  通水性部材、
２５  緑化客土、  ２６  芝生、
【図１】
2005030051.tif 000003
【図２】
2005030051.tif 000004
【図３】
2005030051.tif 000005
【図４】
2005030051.tif 000006
【図５】
2005030051.tif 000007
【図６】
2005030051.tif 000008